(57)【要約】【課題】無線ＩＣシステム（ＲＦＩＳ）を含み、識別チップの付いた商品を感知して、その広告情報を放送し、商品宣伝の効果を上げる感知式広告放送装置を提供する。【解決手段】商品広告用の放送装置であって、内部にマイクロ・プロセッサと、映像表示処理モジュールとを含んだ主放送装置２を備え、前記主放送装置は感知板３に接続され、無線ＩＣシステム４を前記主放送装置と前記感知板との間に設置し、前記感知板で識別チップ４２を貼り付けた商品を識別した際、前記主放送装置は前記感知板から出力される識別信号に基づき前記商品に関する情報を放送することを特徴とする。【選択図】図２
0003143422.tif 000002
【実用新案登録請求の範囲】
【請求項１】
商品広告用の放送装置であって、内部にマイクロ・プロセッサと、映像表示処理モジュールとを含んだ主放送装置を備え、前記主放送装置は感知板に接続され、無線ＩＣシステムを前記主放送装置と前記感知板との間に設置し、前記感知板で識別チップを貼り付けた商品を識別した際、前記主放送装置は前記感知板から出力される識別信号に基づき前記商品に関する情報を放送することを特徴とする、感知式広告放送装置。
【請求項２】
前記感知板から出力される前記識別信号は、識別チップが貼り付けられた商品を感知した場合、その商品の情報だけを前記主放送装置に放送させるように設定されていることを特徴とする、請求項１に記載の感知式広告放送装置。
【請求項３】
前記感知板から出力される識別信号は、識別チップがそれぞれ貼り付けられた複数の商品を同時に感知した場合、前記商品が取り上げられるごとに、前記取り上げられた前記商品の情報を前記主放送装置に放送させるように設定されていることを特徴とする、請求項１に記載の感知式広告放送装置。
【請求項４】
前記主放送装置の広告情報は、前記主放送装置内のハード・ディスク、ＳＤカード、ＭＭＣカード、ＭＳカード、ＭＳ  ＰＲＯカード、ＣＥ型Ｉ／ＩＩ／カード、マイクロ・ドライブ・カードにストアされていることを特徴とする、請求項１に記載の感知式広告放送装置。
【請求項５】
前記主放送装置の広告情報放送は、ＭＰＥＧ１、２、４、ＪＰＥＧ、ＭＪＰＥＧ、ＭＰ３によることを特徴とする、請求項１に記載の感知式広告放送装置。
【請求項６】
前記主放送装置は１つのディスプレイ・スクリーンを備えていることを特徴とする、請求項１に記載の感知式広告放送装置。
【請求項７】
前記主放送装置は、前記ディスプレイ・スクリーンに接続されていることを特徴とする、請求項１に記載の感知式広告放送装置。
【請求項８】
前記感知板は前記主放送裝置と１体に組み合されていることを特徴とする、請求項１に記載の感知式広告放送装置。
【考案の詳細な説明】
【技術分野】
【０００１】
本考案は商品広告用の感知式広告放送装置に関し、詳しくは、無線ＩＣシステム(Ｒａｄｉｏ  Ｆｒｅｑｕｅｎｃｙ  Ｉｄｅｎｔｉｆｉｃａｔｉｏｎ  Ｓｙｓｔｅｍ：ＲＦＩＳ)を含み、識別チップのある商品を感知して、その広告情報を放送し、商品宣伝の効果を上げる、感知式広告放送装置に関する。
【背景技術】
【０００２】
商取引の複雑化と、商品流通が盛んな今日、国家間の障壁が除かれ、消費者に対する商品広告の効果は、ますます顕著となってきた。従来、商品に関する情報は、耳（口頭宣伝）や目（説明書、カタログ）を通して消費者に伝えていることから、即時性に欠け、効果が上がりにくいという問題があった。また、商品を購入する際、客はセールスマンの詳細な説明を聞かないと、商品について理解できないことがある。もし、セールスマンが表現能力に欠け、商品に対する知識も充分でない場合、客は離れ、商業上の目的が果たされないという問題があった。
【０００３】
本考案は、このような問題をを解決するためになされたものである。
【考案の開示】
【考案が解決しようとする課題】
【０００４】
本考案は、無線ＩＣシステム(Ｒａｄｉｏ  Ｆｒｅｑｕｅｎｃｙ  Ｉｄｅｎｔｉｆｉｃａｔｉｏｎ  Ｓｙｓｔｅｍ：ＲＦＩＳ)を含み、識別チップの付いた商品を感知して、その情報を広告し、商品宣伝の効果を上げる、感知式広告放送装置を提供することを目的とする。
【課題を解決するための手段】
【０００５】
上記の目的を達成するため、本考案は商品広告用の放送装置において、ディスプレイ．スクリーンと、内部にマイクロ．プロセッサーと、映像表示処理モジユールとを含んだ主放送装置とを備え、前記主放送裝置の１端は１つの感知板に接續され、ＲＦＩＳを主放送裝置と感知板との間に設置し、感知板の感能区で識別チップを貼り付けている商品を識別した際、主放送裝置は、商品に関する情報を放送する感知式廣告放送裝置を提供した。
【０００６】
また、感知板からの識別信号は、識別チップのある１つの商品を感知した場合、その商品の情報だけを主放送裝置で放送するよう設定した。
また、感知板からの識別信号は、識別チップのある複数の商品を同時に感知した場合、取り上げられた商品ごとに、その情報を主放送裝置で放送するよう設定した。
なお、本考案に係る感知式廣告放送裝置に関する優点や特徴の詳情は、本明細書に添付した図面を參照して、下記の実施の形態を詳讀されたい。
【考案の効果】
【０００７】
本考案に係る感知式広告放送装置は従来に例のないＲＦＩＳを利用したもので、識別チップの付いた商品を感知して、その広告情報を放送し、商品宣伝の効果を上げる。
【考案を実施するための最良の形態】
【０００８】
図１に示すように、本考案に係る感知式広告放送装置１は、主放送装置２と、感知板３とを含む。
【０００９】
主放送装置２の表面には１つのディスプレイ・スクリーン２１が取り付けられ、１つの支持フレーム２２で角度調整可能に主放送装置２を両側面から支持している。主放送装置２の内部には、マイクロ・プロセッサーと、映像表示処理モジユールとが含まれ、映像を放映する。主放送装置２と、感知板３との間にはＲＦＩＳ４が設置されている。
【００１０】
図２に示すように、感知板３には感知コイル４１と識別チップ４２が含まれており、この識別チップ４２を商品に貼り付け、商品を感知板３の上に乗せれば、感知コイル４１は商品の識別チップ４２の識別コードを感知して、信号線４３を経由し、主放送装置２内部のマイクロ・プロセッサーに信号を送信するのである。この信号はマイクロ・プロセッサーで確認され、対応する商品の広告情報を取り出して放送されるのである。
【００１１】
図３に本考案の第１実施形態に係る感知式広告放送装置の処理過程のブロック図を示す。ＲＦＩＳ４の識別チップ４２を貼り付けた商品Ａは感知板３の感知コイル４１で識別され、マイクロ・プロセッサーで確認され、取り出されたその商品の広告情報は、さらに映像表示処理モジュールを経て、主放送装置２から放送される。
【００１２】
図４に本考案の第２実施形態に係る感知式広告放送装置の処理過程のブロック図を示す。ＲＦＩＳ４の識別チップ４２を貼り付けた商品Ａ、Ｂ、Ｃ、Ｄなどが感知板３の上に同時に並べられた場合、その中の商品Ａだけを取り上げれば、商品Ａは感知板３の感知コイル４１に識別され、マイクロ・プロセッサーで確認され、取り出された商品Ａの広告情報だけ、さらに映像表示処理モジュールを経て、主放送装置２から放送される。
【００１３】
主放送装置２の広告情報は主放送装置２内のハード・デイスク、ＳＤカード、ＭＭＣカード、ＭＳカード、ＭＳ  ＰＲＯカード、ＣＦ型Ｉ／ＩＩ／カード、マイクロ・ドライブ・カードなどのメモリ・カ-ドにストアされ、また、広告情報の放送は、ＭＰＥＧ１、２、４、ＪＰＥＧ、ＭＪＰＥＧ、ＭＰ３などのマス・メディアによるものである。
【００１４】
図５に図３の商品が商品５(例えば携帯電話)である場合の実施形態を示す。商品５の背面に識別チップ５１を貼り付け、感知板３に感知させれば、商品５に関する情報が広告される。
【００１５】
図６に図４の商品が複数の商品６(例えば腕時計６１、６２、６３)である場合の実施形態を示す。前記腕時計６１、６２、６３に識別チップを貼り付け、同時に感知板３の上に並べ、顧客がその中で気に入った腕時計６３を取り上げたとき、感知板３はこの動作を信号で主放送装置２に送信して、腕時計６３に関する広告情報が広告される。
【００１６】
図７に示すように、感知板３は主放送装置２と１体に組み合されてもよい。あるいは主放送装置２にディスプレイ・スクリーンを設けないで、主放送装置２から導線で、独立したディスプレイ・スクリーンと接続して放送表示してもよい。
【００１７】
以上の詳細な説明は、本考案の実行可能な実施形態に付いての具体的説明である。これらの実施形態は本考案の実用新案登録請求の範囲を制限するものではなく、本考案の技術精神を逸脱せずになされた同等効果の実施、又は変更は、全て本考案の実用新案登録請求の範囲に含まれる。
【図面の簡単な説明】
【００１８】
【図１】本考案に係る感知式広告放送装置の立体外観図である。
【図２】本考案に係る感知式広告放送装置の断面図である。
【図３】本考案の第１実施形態の処理過程のブロック図である。
【図４】本考案の第２実施形態の処理過程のブロック図である。
【図５】本考案の第２実施形態を示す図である。
【図６】本考案の第２実施形態を示す図である。
【図７】本考案の第２実施形態を示す図である。
【符号の説明】
【００１９】
１    感知式広告放送装置、
２    主放送装置、
３    感知板、
２１    ディスプレイ・スクリーン、
２２    支持フレーム、
４    ＲＦＩＳ、
４１    感知コイル、
４２    識別チップ、
４３    信号線、
Ａ、５    商品、
５１、６    識別チップ、
６１、６２、６３    腕時計。
【図１】
0003143422.tif 000003
【図２】
0003143422.tif 000004
【図３】
0003143422.tif 000005
【図４】
0003143422.tif 000006
【図５】
0003143422.tif 000007
【図６】
0003143422.tif 000008
【図７】
0003143422.tif 000009